(57)【要約】  本発明は、被写体である人物に照射される照明光の色を顔の領域にて細かく設定できる照明手段により、より望ましい顔色の顔写真、および顔の特定部位の色を変化させた顔写真を得ることができる人物撮影装置を提供する。本発明の人物撮影装置は、人物の顔を照明する照明手段を備えた人物撮影装置であって、前記照明手段は、赤色、緑色、青色、白色の中の少なくとも２色の発光素子を並べた発光面を有し、人物の顔を部分的に異なる色で照明することを特徴とする。
2007108331.tif 000002
【特許請求の範囲】
【請求項１】
人物の顔を照明する照明手段を備えた人物撮影装置であって、
前記照明手段は、赤色、緑色、青色、白色の中の少なくとも２色の発光素子を並べた発光面を有し、人物の顔を部分的に異なる色で照明することを特徴とする人物撮影装置。
【請求項２】
照明条件を入力する入力手段を備え、
入力された前記照明条件を基に前記照明手段の発光素子の光量、及び色を制御する制御手段を有することを特徴とする請求の範囲第１項に記載の人物撮影装置。
【請求項３】
開閉する天板及び扉を備え、前記照明手段を前記天板又は前記扉に設けたことを特徴とする請求の範囲第１項又は第２項に記載の人物撮影装置。
【発明の詳細な説明】
【技術分野】
【０００１】
本発明は、被写体の照明条件を制御する人物撮影装置に関する。
【背景技術】
【０００２】
人物撮影装置としては、パスポートの申請書、履歴書、その他各種試験の受験申請書へ添付する顔写真を得るためのボックス型の証明写真撮影装置や（例えば、特許文献１参照。）、展望、その他景色を売り物にしている観光地、各種イベント会場に置かれ、撮影した人物像と、予め準備した背景画像とを合成して記念写真を作る記念写真撮影装置（例えば、特許文献２参照。）が知られている。【０００３】
これらの人物撮影装置は、通常、無人のボックス内か、カーテン状の仕切り内に納められており、内部に入ったお客は、これらの装置に設けられたタッチパネルと呼ばれる操作表示手段に逐次表示される案内に従って指示操作を行い、所定の写真を得る。【０００４】
上述した証明写真装置によって作成される顔写真は、使用目的に適合する所定の要件、例えば本人の特徴が明確に出ていること、写真のサイズが適切であること等の条件を満足しているか否かが重要であり、また、記念写真撮影装置によって作成される顔写真は背景の中で意識して作られた笑顔であれば良しとすることが多い。また、ボックスの設置面積をできる限り小さくしたいという要求によって、カメラと被写体との距離が十分に取れない距離に固定されることから撮影された顔画像は中心部が大きく誇張され、また、照明光が顔の一部に強く当たったものになり易い。【０００５】
このような装置では、撮影の際に被写体である人物の顔に照射される照明光の照明条件、即ち、光量と配光は、予め、実験により所定の品質が得られる条件として求めたものが設定されている。【０００６】
しかしながら、照明光は人物の顔のみに照射されるものではなく、広く上半身を照射するものである。従って、人物の着用している衣服の色や濃度の違いをはじめ、顔に当たる色々な部分からの反射光の違いにより、撮影される顔画像の色や濃度が変化する。【０００７】
従って、上述した様な装置にて、できるだけ自分の気に入った顔写真を得ようとしても、顔写真としての品質はある程度のレベルにて妥協せざるを得ない場合もある。【０００８】
このような状況に対応するために、専任の撮影者が照明条件をはじめとする各種撮影条件を個別に設定して、また、被写体となる人物が良い表情を作り出すように誘導して、専用のカメラで機を逃さず撮影することが一般的に行われている。【０００９】
しかしながら、上記したような専任の撮影者を設けることは、人件費がかさむこととなり、結果として写真のコストアップにつながる恐れがある。【００１０】
また、最近では、撮影した顔画像に画像処理を施すことにより、希望する顔画像を得る方法も一般的になってきているが、これらは画像処理を施すための画像処理装置と技術が必要であり、また、画像処理後の顔画像が不自然になってしまう場合もある。
【特許文献１】特開２００２−２１４６９０号公報（第１頁）
【特許文献２】特開平５−１６１０６４号公報（第１頁）
【発明の開示】
【発明が解決しようとする課題】
【００１１】
本発明は、上述したような状況に鑑みてなされたもので、被写体である人物に照射される照明光の色を顔の領域にて細かく設定できる照明手段により、より望ましい顔色の顔写真、および顔の特定部位の色を変化させた顔写真を得ることができる人物撮影装置を提供することにある。
【課題を解決するための手段】
【００１２】
前記課題は、以下に記載する発明により達成される。
１．人物の顔を照明する照明手段を備えた人物撮影装置であって、
前記照明手段は、赤色、緑色、青色、白色の中の少なくとも２色の発光素子を並べた発光面を有し、人物の顔を部分的に異なる色で照明することを特徴とする人物撮影装置。
２．照明条件を入力する入力手段を備え、
入力された前記照明条件を基に前記照明手段の発光素子の光量、及び色を制御する制御手段を有することを特徴とする１項に記載の人物撮影装置。
３．開閉する天板及び扉を備え、前記照明手段を前記天板又は前記扉に設けたことを特徴とする１又は２項に記載の人物撮影装置。
【発明の効果】
【００１３】
本発明により、顔に照射される照明光の色を変化させることにより、より望ましい顔色の顔写真を得ることができる。また、顔の一部を異なる色の照明光で照明できることから、色変化を生かした顔写真を作りだすことができる。
【図面の簡単な説明】
【００１４】
【図１】人物撮影装置による撮影の様子を示す図である。
【図２】人物撮影装置の概念図である。
【図３】人物撮影装置の制御関係を示すブロック図である。
【図４】扉の動作を説明する図である。
【図５】照明手段の発光面を説明する図である。
【図６】照明手段の発光面のＬＥＤの点灯制御による、照明条件の変更例を示す図である。
【図７】人物撮影装置による撮影の流れを示すフローチャートである。
【符号の説明】
【００１５】
Ｃ  制御手段
Ｇ  人物撮影装置
１２、１３  扉
１４  天板
１６  操作表示手段（入力手段）
１２０、１３０、１４０  照明手段
【発明を実施するための最良の形態】
【００１６】
以下、本発明の実施の形態を、図面を基に説明する。【００１７】
図１は、本発明の人物撮影装置Ｇによる撮影の様子を示す図である。人物撮影装置Ｇは本体の左右の所定位置を支点にしてに開閉する扉１２、１３と上部にて昇降し開閉する天板１４を備えている。前記扉１２、１３，及び天板１４の被写体の人物Ｐに向かう面には発光素子、例えば発光ダイオード（ＬＥＤ）が一面に並べられており、人物を照明している。【００１８】
人物Ｐは、正面のハーフミラー１７に映った自分の顔を見ながら適当と思われる位置に立ち、操作表示手段１６の操作ボタンやリモートコントローラ（不図示）を操作することにより、あるいはオペレータの操作により撮影を行う。【００１９】
図２は、人物撮影装置Ｇの概念図であり、（ａ）は正面図、（ｂ）は側面図、（ｃ）は上面図である。【００２０】
図に示される人物撮影装置Ｇは、上部筐体１０と、下部筐体２０と、これらの二つの筐体を接続する接続部３０とからなる。【００２１】
上部筐体１０は、上方に昇降し開閉する天板１４と、左右に開閉する扉１２、１３とを有し、その内部には、撮影用カメラＣＭ、プリンタＰＲ、制御手段Ｃ等が収納されている。【００２２】
また、下部筐体２０は、底部に移動用の車を備えた台座を有し、その内部には、電源装置等の質量の大きな物が収納されている。【００２３】
撮影用カメラＣＭは、デジタルカメラで矢印ａの方向の被写体の撮影を行い、撮影した画像情報を制御手段Ｃに送る。【００２４】
プリンタＰＲは、制御手段Ｃから送られた画像情報を基にハードコピーを出力するプリンタで、熱昇華転写、インクジェット、電子写真等、適宜な技術手段によるプリンタを採用することができる。【００２５】
上部筐体１０の天板１４が上部に、また扉１２、１３が左右に開かれると、天板１４、扉１２、１３の裏側に設けられた照明手段１４０、１２０、１３０の発光面が上部と左右に現れ、正面には、撮影用カメラのレンズ１５、及び、操作表示手段１６が現れる。なお、操作表示手段１６は、広く一般に使用されている公知の技術手段であるタッチパネルであって、表示手段と、所定の位置に触れることにより情報の入力が可能な入力手段の機能を合わせ持つ手段である。【００２６】
図３は人物撮影装置の制御関係を示すブロック図である。なお、本発明の説明に不要なブロックについては記載を省略してある。【００２７】
制御手段Ｃは、ＣＰＵ、メモリＭ、画像処理用ＩＣ、入出力ポート、通信用インターフェイス、駆動回路からなるコンピュータシステムである。制御手段Ｃによる制御は、メモリに予め格納してある所定のプログラムを実行させることにより行われる。【００２８】
撮影用カメラＣＭから制御手段Ｃに送られた画像情報は、画像処理が施され、圧縮されて、前記メモリＭの所定のファイルに格納される。格納された画像情報は、前記タッチパネルから入力された指示情報、例えばサイズ、枚数等の指示情報に基づいて出力画像に加工され、プリンタＰＲに送られる。【００２９】
図４は、扉１２、１３の動作を説明する図である。【００３０】
図４は図２（Ｃ）に示すの上面図に対応するものである。扉１２、１３は支点１２２、１３２を中心にして回転可能であり、扉開閉手段（不図示）により開閉する。また、扉開閉手段は制御手段Ｃにより開閉停止位置が制御される。扉１２、１３に設けられた照明手段１２０、１３０の発光面はそれぞれ矢印ｃ、及びｄの方向に向け発光して、被写体となっている人物を照射する。【００３１】
図５は扉１２に設けられた照明手段１２０の発光面を説明する図である。【００３２】
複数個の発光素子が並べられている発光面には、発光素子である白色、青色、緑色、赤色のＬＥＤが順番にｘ方向、及びｙ方向に所定の間隔をもって配置されている。これらのＬＥＤの先端部は、照射方向が指向性を持つようにレンズ機能を有しており、各ＬＥＤの照射光は周辺がぼやけたスポットとして、被写体に照射される。また、それぞれ一つの青色、緑色、赤色のＬＥＤは、一つの組を構成し、組を構成するＬＥＤは被写体の上で、一つのスポットを形成するように配置される。このような構成より、青色、緑色、赤色のＬＥＤによる任意の色を被写体上に照射することができる。【００３３】
従って、制御手段Ｃが、照明手段１２０のＬＥＤを個別にオンオフ、又は光量に関わる制御信号を送ることによって、被写体を照射する照明光の光量、配光、配色の制御が可能になる。【００３４】
図６は、照明手段１２０、１３０、１４０の発光面のＬＥＤの点灯制御により、被写体である人物の顔に照射される照明光の配光と配色を変化させるようにした、照明条件の変更例を示す図である。【００３５】
図６（ａ）は、衣服の反射により生じた顔色の部分的な変化を補正する照射の様子を示しており、図６（ｂ）は、頬にわずかな赤みを持たせた照明光を照射することにより、生き生きとした顔画像を得る例を示しており、図６（ｃ）は、顔の特定位置に指定する色の陰影を作る例を示している。なお、このような照明光の光量、配光、配色の制御は、入力手段である操作表示手段１６から入力された照明条件に基づき、制御手段Ｃが照明手段１２０、１３０、１４０を制御することにより行われる。【００３６】
上述の説明は、照明手段１２０、１３０、１４０による配光パターンを例に挙げて行ったが、さらに下方に照明手段を設けて、これを含めた光量、配光、配色を制御するようにしてもよい。【００３７】
図７は、人物撮影装置Ｇによる撮影の流れを示すフローチャートである。【００３８】
被写体となる人物は、課金等の処理を済ませ、人物撮影装置の操作表示手段１６、又はリモートコントローラ（不図示）の撮影開始ボタンを押す（ステップＳ１）、制御手段ＣのメモリＭに、予め記憶させてある標準設定条件で照明手段１２０、１３０、１４０が被写体を照明する（ステップＳ２）。【００３９】
照明された被写体は、撮影用カメラＣＭにより画像として予め設定された短い周期で取り込まれ（ステップＳ３）、制御手段Ｃに送られ、操作表示手段１６にリアルタイムで表示される（ステップＳ４）。【００４０】
被写体となった人物、又はオペレータは、操作表示手段１６、又はリモートコントローラ（不図示）により照明条件を入力して、即ち、照明光の光量、配光、配色を指示する指示情報を入力して（ステップＳ５）、照明光を変化させる（ステップＳ６）。【００４１】
取り込まれた画像は操作表示手段１６に表示され（ステップＳ７、８）、被写体となった人物、又はオペレータは表示されている画像が希望するものであるか否かを判定する（ステップＳ９）。【００４２】
もし、希望するものではなかった場合には（ステップＳ９：Ｎ）、再度、照明条件の入力を行い、照明光を変化させ、取り込んだ画像を表示させる（ステップＳ５〜８）。【００４３】
ステップＳ５〜８の繰り返しにより、希望する画像が表示された場合には（ステップＳ９：Ｙ）、その照明条件で撮影を行い（ステップＳ１０）、撮影した画像をプリントとして出力して（ステップＳ１１）、ルーチンから出る。【００４４】
なお、ステップ５の照明条件の入力は、予め、複数種類の照明条件を照明条件設定テーブルに設定しておき、これらの照明条件から照明条件を選択するようにしても良い。【００４５】
なお、前記照明手段による照明条件の変更は、上述したような照明光の配光の変化によるものに限らず、照明光の強さを一様に上下させることにより被写体の照度を変化させるようにする照明条件の変更もできることはいうまでもない。【００４６】
また、選択された顔画像をプリンタＰＲに出力するだけではなく、メモリカードをはじめ適宜な記憶媒体に出力できるようにしても良い。【００４７】
また、照明手段は、ＬＥＤを並べたものに限定されるものではなく、上述したように照明光の光量、配光、配色を可変でき、指向性を持たせることができるものであれば何でも良く、例えば、ＥＬ（エレクトロルミネッセンス）ディスプレイ、プラズマディスプレイ、液晶ディスプレイとアレイレンズとの組み合わせでも良い。【００４８】
以上説明したように、本発明による人物撮影装置は、顔を照明する照明光の照明領域を顔の一部の領域毎に顔を照明する照明光の光量、配光、配色を変化させることができるので、望ましい顔色の顔写真、及び所定の効果を狙った顔写真を得ることができる。
【図３】
2007108331.tif 000003
【図１】
2007108331.tif 000004
【図２】
2007108331.tif 000005
【図４】
2007108331.tif 000006
【図５】
2007108331.tif 000007
【図６】
2007108331.tif 000008
【図７】
2007108331.tif 000009
【国際調査報告】
2007108331.tif 000010
2007108331.tif 000011
2007108331.tif 000012
2007108331.tif 000013